(57)【要約】【課題】大型化されたラジエータであってもこれを確実に支持できるようにする。【解決手段】ラジエータ１００は、架台１１に支持されて水平に延びる上部導油配管１２および下部導油配管１３と、上部導油配管１２に支持されて上部導油配管から分岐して水平に延びる複数の上部ヘッダー１４と、下部導油配管１３に支持されて下部導油配管１３から分岐して水平に延びる複数の下部ヘッダー１５と、上部ヘッダー１４と下部ヘッダー１５とに接続された複数の放熱パネル１６と、架台１１に支持されて下部ヘッダー１５の下方に配置されて水平に延びる複数の下部支持部材１７と、下部支持部材１７に支持されて、下部導油配管１３から水平方向に離れた位置で下部ヘッダー１５を支持する下部連結部材１８と、を有する。【選択図】図１
2018006442.tif 000002
【特許請求の範囲】
【請求項１】
架台と、
前記架台に支持されて第１の水平方向に延びる上部導油配管と、
前記上部導油配管の下方で前記架台に支持されて前記上部導油配管に平行に延びる下部導油配管と、
前記上部導油配管に支持されて前記上部導油配管から分岐して前記第１の水平方向と異なる第２の水平方向に延び、前記上部導油配管をはさんで両側に配置され、互いに前記第１の水平方向に間隔をあけて配置された複数の上部ヘッダーと、
前記下部導油配管に支持されて前記下部導油配管から分岐して、前記複数の上部ヘッダーそれぞれの下方に配置されて前記上部ヘッダーに平行に延びる複数の下部ヘッダーと、
前記複数の上部ヘッダーそれぞれと当該上部ヘッダーの下方の前記下部ヘッダーとに接続されて前記第１の水平方向および鉛直方向に広がる複数の放熱パネルと、
前記架台に支持されて前記複数の下部ヘッダーそれぞれに対応して当該下部ヘッダーの下方に配置されて前記下部ヘッダーに平行に延びる複数の下部支持部材と、
前記複数の下部ヘッダーの下方かつ前記複数の下部支持部材の上方に配置されて、前記第１の水平方向に延びて、前記複数の下部支持部材に支持されて、前記下部導油配管から前記第２の水平方向に離れた位置で前記複数の下部ヘッダーを支持する少なくとも２個の下部連結機構と、
を有することを特徴とするラジエータ。
【請求項２】
前記複数の下部ヘッダーのそれぞれに吊り耳が形成されており、
前記吊り耳と前記下部連結機構とが締結されていることを特徴とする請求項１に記載のラジエータ。
【請求項３】
前記下部連結機構それぞれは、
前記下部ヘッダーおよび前記下部支持部材それぞれと締結されて前記第１の水平方向に延びて、前記下部ヘッダーおよび前記下部支持部材と直接接触して前記下部ヘッダーの荷重を前記下部支持部材に直接伝える下部連結部材
を有すること、を特徴とする請求項１または請求項２に記載のラジエータ。
【請求項４】
前記下部連結機構それぞれは、
前記下部支持部材と締結されて前記第１の水平方向に延びる下部連結部材と、
前記下部連結部材および前記下部ヘッダーと締結されて前記第１の水平方向に延びて、前記下部ヘッダーと直接接触して前記下部ヘッダーの荷重を直接受ける連結補助部材と、
を有すること、を特徴とする請求項１または請求項２に記載のラジエータ。
【請求項５】
前記下部連結機構それぞれは、前記下部ヘッダーのそれぞれと前記下部支持部材との高さ方向の距離を調整可能な調整機構を有していることを特徴とする請求項１ないし請求項４のいずれか一項に記載のラジエータ。
【請求項６】
架台と、
前記架台に支持されて第１の水平方向に延びる上部導油配管と、
前記上部導油配管の下方で前記架台に支持されて前記上部導油配管に平行に延びる下部導油配管と、
前記上部導油配管に支持されて前記上部導油配管から分岐して前記第１の水平方向と異なる第２の水平方向に延び、前記上部導油配管をはさんで両側に配置され、互いに前記第１の水平方向に間隔をあけて配置された複数の上部ヘッダーと、
前記下部導油配管に支持されて前記下部導油配管から分岐して、前記複数の上部ヘッダーそれぞれの下方に配置されて前記上部ヘッダーに平行に延びる複数の下部ヘッダーと、
前記複数の上部ヘッダーそれぞれと当該上部ヘッダーの下方の前記下部ヘッダーとに接続されて前記第１の水平方向および鉛直方向に広がる複数の放熱パネルと、
前記架台に支持されて前記複数の下部ヘッダーそれぞれに対応して当該下部ヘッダーの下方に配置されて前記下部ヘッダーに平行に延びる複数の下部支持部材と、
前記複数の下部ヘッダーの下方かつ前記複数の下部支持部材の上方に配置されて、前記第１の水平方向に延びて、前記複数の下部支持部材に支持されて、前記下部導油配管から前記第２の水平方向に離れた位置で前記複数の下部ヘッダーを支持する少なくとも２個の下部連結機構と、
を有するラジエータの製造方法であって、
前記下部連結機構それぞれが、前記下部ヘッダーのそれぞれと前記下部支持部材との高さ方向の距離を調整可能な調整機構を有し、
当該製造方法は、
前記架台を設置する架台設置工程と、
前記架台設置工程の後に前記架台に前記上部導油配管を取り付ける上部導油配管取り付け工程と、
前記架台設置工程の後に前記架台に前記下部導油配管を取り付ける下部導油配管取り付け工程と、
前記架台設置工程の後に前記架台に前記下部支持部材を取り付ける下部支持部材取り付け工程と、
前記上部導油配管に前記上部ヘッダーを取り付ける上部ヘッダー取り付け工程と、
前記下部導油配管に前記下部ヘッダーを取り付ける下部ヘッダー取り付け工程と、
前記上部ヘッダーおよび前記下部ヘッダーに前記放熱パネルを取り付ける放熱パネル取り付け工程と、
前記上部導油配管取り付け工程、前記下部導油配管取り付け工程、前記下部支持部材取り付け工程、前記上部ヘッダー取り付け工程、前記下部ヘッダー取り付け工程、および、前記放熱パネル取り付け工程の後に、
前記複数の下部ヘッダーのそれぞれから前記下部連結機構を介して前記複数の下部支持部材にかかる荷重が均等になるように、前記複数の下部ヘッダーのそれぞれと前記複数の下部支持部材との高さ方向の距離を、前記調整機構を用いて調整する調整工程と、
を備えていることを特徴とするラジエータ製造方法。
【請求項７】
前記調整工程は、
前記複数の下部ヘッダーのそれぞれと前記複数の下部支持部材との高さ方向の距離を調整するために、前記複数の下部ヘッダーのそれぞれと前記複数の下部支持部材との間に調整用のライナーをはさむ工程を含むこと、
を特徴とする請求項６に記載のラジエータ製造方法。
【発明の詳細な説明】
【技術分野】
【０００１】
本実施形態は、静止誘導電器など（たとえば変圧器）の冷却媒体を放熱するためのラジエータおよびその製造方法に関する。
【背景技術】
【０００２】
静止誘導電器が収容された密閉容器内を、油などの冷却媒体（絶縁媒体でもある）で満たし、密閉容器の外側にラジエータ（冷却器）を設置して、冷却媒体を循環させることによって放熱する技術が知られている。密閉容器とラジエータとは連絡配管で連絡される。密閉容器内で高温になった冷却媒体はラジエータに送られ、ラジエータで大気に放熱した後に連絡配管で密閉容器に戻される。
【０００３】
近年、変圧器の大容量化に伴い、冷却器の冷却能力の向上が求められている。冷却器の冷却能力の向上方法としては、主にファンなどの補機の性能向上もしくは冷却面積の増加が考えられる。ラジエータについては冷却面積を増加させるため大型化されており、これに伴いラジエータの重量が増加するため、ラジエータの支持構造物に作用する力も大きくなる。
【０００４】
従来の静止誘導電器の典型的なラジエータは、ラジエータの上下部のヘッダーを上下部の油導配管に取り付けることでラジエータの重量を支持する構造となっている。従来の比較的小さなラジエータの重量では、ヘッダーの根元（油導配管への接続部）に発生する応力にヘッダーが耐えることができていたが、大型化されたラジエータの重量ではヘッダーの根元に発生する応力にヘッダーが耐えられないことも懸念される。
【先行技術文献】
【特許文献】
【０００５】
【特許文献１】特開２００８−１０３４８５号公報
【発明の概要】
【発明が解決しようとする課題】
【０００６】
前述の大型の静止誘導電器におけるラジエータの支持構造として、上下部のヘッダーを上下部の油導配管に取り付けることで、ラジエータの重量を支持するだけでなく、下部ヘッダーを下部油導配管から離れた位置でも下方から支持する構造が考えられる。しかしながら、複数の下部ヘッダーの下端部の高さ位置が、製作誤差などによって必ずしも同一ではない。そのため、一部の下部ヘッダーの支持が不十分となることもありえた。
【０００７】
本発明の実施形態は、上記のような従来技術の課題を解決するためになされたものであり、大型化されたラジエータであってもこれを確実に支持できるようにすることを目的とする。
【課題を解決するための手段】
【０００８】
本発明の実施形態に係るラジエータは、架台と、前記架台に支持されて第１の水平方向に延びる上部導油配管と、前記上部導油配管の下方で前記架台に支持されて前記上部導油配管に平行に延びる下部導油配管と、前記上部導油配管に支持されて前記上部導油配管から分岐して前記第１の水平方向と異なる第２の水平方向に延び、前記上部導油配管をはさんで両側に配置され、互いに前記第１の水平方向に間隔をあけて配置された複数の上部ヘッダーと、前記下部導油配管に支持されて前記下部導油配管から分岐して、前記複数の上部ヘッダーそれぞれの下方に配置されて前記上部ヘッダーに平行に延びる複数の下部ヘッダーと、前記複数の上部ヘッダーそれぞれと当該上部ヘッダーの下方の前記下部ヘッダーとに接続されて前記第１の水平方向および鉛直方向に広がる複数の放熱パネルと、前記架台に支持されて前記複数の下部ヘッダーそれぞれに対応して当該下部ヘッダーの下方に配置されて前記下部ヘッダーに平行に延びる複数の下部支持部材と、前記複数の下部ヘッダーの下方かつ前記複数の下部支持部材の上方に配置されて、前記第１の水平方向に延びて、前記複数の下部支持部材に支持されて、前記下部導油配管から前記第２の水平方向に離れた位置で前記複数の下部ヘッダーを支持する少なくとも２個の下部連結機構と、を有することを特徴とする。
【０００９】
本発明の実施形態に係るラジエータ製造方法は、架台と、前記架台に支持されて第１の水平方向に延びる上部導油配管と、前記上部導油配管の下方で前記架台に支持されて前記上部導油配管に平行に延びる下部導油配管と、前記上部導油配管に支持されて前記上部導油配管から分岐して前記第１の水平方向と異なる第２の水平方向に延び、前記上部導油配管をはさんで両側に配置され、互いに前記第１の水平方向に間隔をあけて配置された複数の上部ヘッダーと、前記下部導油配管に支持されて前記下部導油配管から分岐して、前記複数の上部ヘッダーそれぞれの下方に配置されて前記上部ヘッダーに平行に延びる複数の下部ヘッダーと、前記複数の上部ヘッダーそれぞれと当該上部ヘッダーの下方の前記下部ヘッダーとに接続されて前記第１の水平方向および鉛直方向に広がる複数の放熱パネルと、前記架台に支持されて前記複数の下部ヘッダーそれぞれに対応して当該下部ヘッダーの下方に配置されて前記下部ヘッダーに平行に延びる複数の下部支持部材と、前記複数の下部ヘッダーの下方かつ前記複数の下部支持部材の上方に配置されて、前記第１の水平方向に延びて、前記複数の下部支持部材に支持されて、前記下部導油配管から前記第２の水平方向に離れた位置で前記複数の下部ヘッダーを支持する少なくとも２個の下部連結機構と、を有するラジエータの製造方法であって、前記下部連結機構それぞれが、前記下部ヘッダーのそれぞれと前記下部支持部材との高さ方向の距離を調整可能な調整機構を有し、当該製造方法は、前記架台を設置する架台設置工程と、前記架台設置工程の後に前記架台に前記上部導油配管を取り付ける上部導油配管取り付け工程と、前記架台設置工程の後に前記架台に前記下部導油配管を取り付ける下部導油配管取り付け工程と、前記架台設置工程の後に前記架台に前記下部支持部材を取り付ける下部支持部材取り付け工程と、前記上部導油配管に前記上部ヘッダーを取り付ける上部ヘッダー取り付け工程と、前記下部導油配管に前記下部ヘッダーを取り付ける下部ヘッダー取り付け工程と、前記上部ヘッダーおよび前記下部ヘッダーに前記放熱パネルを取り付ける放熱パネル取り付け工程と、前記上部導油配管取り付け工程、前記下部導油配管取り付け工程、前記下部支持部材取り付け工程、前記上部ヘッダー取り付け工程、前記下部ヘッダー取り付け工程、および、前記放熱パネル取り付け工程の後に、前記複数の下部ヘッダーのそれぞれから前記下部連結機構を介して前記複数の下部支持部材にかかる荷重が均等になるように、前記複数の下部ヘッダーのそれぞれと前記複数の下部支持部材との高さ方向の距離を、前記調整機構を用いて調整する調整工程と、を備えていることを特徴とする。
【発明の効果】
【００１０】
本発明の実施形態によれば、大型化されたラジエータであってもこれを確実に支持できる。
【図面の簡単な説明】
【００１１】
【図１】本発明に係るラジエータの第１の実施形態を示す正面図である。
【図２】図１のラジエータの側面図である。
【図３】図１のラジエータの要部拡大正面図である。
【図４】本発明に係るラジエータの第２の実施形態を示す正面図である。
【図５】図４のラジエータの要部拡大正面図である。
【図６】本発明に係るラジエータの第３の実施形態の要部拡大正面図である。
【図７】本発明に係るラジエータの第４の実施形態の要部拡大正面図である。
【図８】本発明に係るラジエータの第５の実施形態の要部拡大正面図である。
【発明を実施するための形態】
【００１２】
以下、本発明に係るラジエータの実施形態を、図面を参照して説明する。ここで、互いに同一または類似の部分には共通の符号を付して、重複説明は省略する。
【００１３】
［第１の実施形態］
図１は、本発明に係るラジエータの第１の実施形態を示す正面図である。図２は図１のラジエータの側面図であり、図３は図１のラジエータの要部拡大正面図である。
【００１４】
ここでは、変圧器などの静止誘導電器の密閉容器内の冷却媒体（絶縁媒体）を冷却するために密閉容器外に配置されるラジエータを例にとって説明する。ただし、この発明のラジエータはかかる目的に限定されるものではない。
【００１５】
ラジエータ１００は、架台１１と、上部導油配管１２と、下部導油配管１３と、複数の上部ヘッダー１４と、複数の下部ヘッダー１５と、複数の放熱パネル１６と、複数の下部支持部材１７と、２個の下部連結部材（下部連結機構）１８と、を有する。
【００１６】
上部導油配管１２は、第１の水平方向（Ｘ方向）に延び、架台１１に支持されている。下部導油配管１３は上部導油配管１２の下方で上部導油配管１２に平行（Ｘ方向）に延び、架台１１に支持されている。
【００１７】
上部ヘッダー１４は、上部導油配管１２に支持されていて、上部導油配管１２から分岐して、第２の水平方向（Ｙ方向）に延びている。上部ヘッダー１４は、上部導油配管１２をはさんで両側に配置され、Ｘ方向に互いに間隔をあけて配列されている。下部ヘッダー１５は、下部導油配管１３に支持されていて、下部導油配管１３から分岐して、上部ヘッダー１４それぞれの下方に配置され、上部ヘッダー１４に平行（Ｙ方向）に延びている。
【００１８】
各放熱パネル１６は、平板状であって、上部ヘッダー１４と当該上部ヘッダー１４の下方の下部ヘッダー１５とに接続されて、Ｘ方向および鉛直方向（Ｚ方向）に広がっている。
【００１９】
下部支持部材１７は、架台１１に支持されて、下部ヘッダー１５それぞれに対応して下部ヘッダー１５の下方に配置されて、下部ヘッダー１５に平行（Ｙ方向）に延びている。下部支持部材１７は、たとえば、横断面がＬ字状のアングル材である。
【００２０】
下部連結部材１８は、下部ヘッダー１５の下方かつ下部支持部材１７の上方に配置されて、Ｘ方向に延びている。下部連結部材１８は、複数の下部支持部材１７に支持されていて、複数の下部ヘッダー１５を支持する。下部連結部材１８は、下部導油配管１３からＹ方向に離れた位置にあって、下部導油配管１３の位置をＹ方向にはさんで両側に１個ずつ配置されている。下部連結部材１８は、たとえば、横断面がＬ字状のアングル材である。
【００２１】
図３に示すように、下部ヘッダー１５の底部には吊り耳２０が溶接固定されている。下部連結部材１８は、ボルト・ナットなどの締結具２１によって吊り耳２０と締結されている。また、下部連結部材１８は、ボルト・ナットなどの締結具２２によって下部支持部材１７と締結されている。また、下部連結部材１８の上端２３は下部ヘッダー１５の底部に直接当接している。これにより、下部ヘッダー１５の荷重は、一部が吊り耳２０および締結具２１を介して下部連結部材１８に伝えられるとともに、一部は下部連結部材１８の上端２３から下部連結部材１８に直接伝えられる。
【００２２】
ラジエータ１００は、静止誘導電器（図示せず）の密閉容器外に配置されており、上部導油配管１２および下部導油配管１３は、それぞれが、異なる連絡配管（図示せず）によって密閉容器に接続されている。
【００２３】
ラジエータ１００では、密閉容器内で高温になった冷却媒体は、連絡配管から上部導油配管１２を経て各上部ヘッダー１４に分配され、放熱パネル１６内を下降して、ここで放熱する。放熱パネル１６で低温になった冷却媒体は、下部ヘッダー１５に流れ込み、下部導油配管１３に集められて、連絡配管を経て密閉容器内に戻される。
【００２４】
上述の構造において、複数の下部ヘッダー１５の下端部の高さ位置が、製作誤差などによって同一でない場合がある。この実施形態では、すべての下部ヘッダー１５が、下部導油配管１３で支持されるとともに、下部連結部材１８を介して下部支持部材１７で支持されるように構成する。たとえば、組み立ての途中で、製作誤差などにより下部ヘッダー１５の下端部の高さ位置が揃わない場合は、下部連結部材１８の高さ寸法を、下部ヘッダー１５の下端部の高さが最も高い下部ヘッダー１５に合わせたものとして、すべての下部ヘッダー１５が、下部連結部材１８を介して下部支持部材１７で支持されるようにする。この場合、下端部の高さが最も高い下部ヘッダー以外の下部ヘッダー１５は、より大きな力で下部連結部材１８から押し上げられることになる。
【００２５】
以上説明したように、本実施形態によれば、下部連結部材１８と各下部ヘッダー１５の下面とを同一高さで接触させることで、全ての下部ヘッダー１５と下部連結部材１８が接触して荷重を分担するように取り付ける．これにより、製作公差の影響を受けずに各放熱パネル１６などの重量を上部ヘッダー１４および下部ヘッダー１５だけでなく下部連結部材１８でも確実に分担できる。それによって、上部ヘッダー１４が上部導油配管１２に接続される部分、および、下部ヘッダー１５が下部導油配管１３に接続される部分に発生する応力を緩和できる。したがって、従来のラジエータ支持構造を大幅に変更することなく大型化されたラジエータを支持する構造を提供することができる。
【００２６】
また、本実施形態によれば、下部連結部材１８の上端２３は下部ヘッダー１５の底部に直接当接している。これにより、下部ヘッダー１５の荷重は、一部が吊り耳２０および締結具２１を介して下部連結部材１８に伝えられるとともに、一部は下部連結部材１８の上端２３から下部連結部材１８に直接伝えられる。これにより、締結具２１に係る荷重が軽減され、下部ヘッダー１５の荷重が、より確実に、下部連結部材１８に伝わる。
【００２７】
なお、下部ヘッダー１５の荷重を受けてその荷重を下部支持部材１７に伝える機構を下部連結機構５０と呼ぶ。この実施形態では、下部連結部材１８および締結具２１、２２が下部連結機構５０を構成する。
【００２８】
なお、Ｘ方向とＹ方向は、典型的には互いに直交する方向であるが、互いに異なる水平方向であれば、必ずしも直交していなくてもよい。
【００２９】
下部連結部材１８は、下部導油配管１３を挟んで両側に少なくとも１個設けられる。図示の例では下部導油配管１３の両側に１個ずつが設けられているが、両側に複数個ずつ設けられていてもよい。
【００３０】
［第２の実施形態］
図４は、本発明に係るラジエータの第２の実施形態を示す正面図である。図５は図４のラジエータの要部拡大正面図である。
【００３１】
この実施形態では、下部連結部材１８、連結補助部材３０、ライナー（調整機構）３１および締結具２２、３２、３３が下部連結機構５０を構成する。
【００３２】
下部連結部材１８と下部ヘッダー１５との間に連結補助部材３０およびライナー３１が挟まれている。下部ヘッダー１５および下部支持部材１７はＹ方向に延びており、下部連結部材１８、連結補助部材３０およびライナー３１はＸ方向に延びている。
【００３３】
下部連結部材１８は、第１の実施形態と同様に、下部支持部材１７の上で、締結具２２によって下部支持部材１７に固定されている。連結補助部材３０はボルト・ナットなどの締結具３２によって吊り耳２０に締結されている。
【００３４】
下部連結部材１８の上面にライナー３１が載置され、ライナー３１の上面が連結補助部材３０の底面に接するように、連結補助部材３０が配置されている。そして、下部連結部材１８とライナー３１と連結補助部材３０とが、ボルト・ナットなどの締結具３３によって締結されている。
【００３５】
この実施形態では、連結補助部材３０の上端３４は下部ヘッダー１５の底部よりも低い位置にあって下部ヘッダー１５に接触していない。
【００３６】
下部ヘッダー１５の荷重は、下部導油配管１３を介して架台１１に支持されるとともに、吊り耳２０、締結具３２、連結補助部材３０、ライナー３１、下部連結部材１８、下部支持部材１７を順次経て、架台１１に支持される。
【００３７】
一般に、製作誤差などにより、複数の下部ヘッダー１５の下端部の高さが揃わないことが考えられる。この実施形態によれば、たとえば、厚さの異なる複数のライナー３１を用意しておいて、ラジエータ１００の据え付け現場で、適当な厚さのライナー３１を選択して用いる、または、ライナー３１を用いないという選択をすることができる。このような構造により、複数の下部ヘッダー１５の下端部の高さが揃わない場合であっても、各下部ヘッダー１５の下端の高さ位置に合わせて、連結補助部材３０と下部連結部材１８との間の高さ方向の距離を変更（調整）することができる。これにより、各下部ヘッダー１５の荷重を均等に下部支持部材１７に伝えることができる。
【００３８】
［第３の実施形態］
図６は、本発明に係るラジエータの第３の実施形態の要部拡大正面図である。この実施形態は第２の実施形態の変形であって、連結補助部材３０の上端３４が下部ヘッダー１５の底部に接している。その他の構成は第２の実施形態と同様である。
【００３９】
この第３の実施形態によれば、下部ヘッダー１５の荷重の一部が、吊り耳２０および締結具３２を介して連結補助部材３０に伝わるとともに、荷重の一部が、連結補助部材３０の上端３４から直接連結補助部材３０に伝わる。これにより、締結具３２にかかる荷重が軽減され、より確実に下部ヘッダー１５の荷重を受けることができる。
【００４０】
［第４の実施形態］
図７は、本発明に係るラジエータの第４の実施形態の要部拡大正面図である。
【００４１】
この実施形態では、下部連結部材１８、連結補助部材３０、調整締結部材（調整機構）４０、および締結具２２、３２が下部連結機構５０を構成する。この実施形態は第２の実施形態の変形であって、第２の実施形態のライナー３１と締結具３３（図５）の機能を調整締結部材４０が担う。
【００４２】
下部支持部材１７の上に下部連結部材１８が載置されて、これらが締結具２２によって締結されている。
【００４３】
下部連結部材１８の上方に、調整締結部材４０を介して連結補助部材３０が設置されている。調整締結部材４０は、連結補助部材３０の荷重をその下方の下部連結部材１８に伝える。さらに調整締結部材４０は、ネジ構造により、連結補助部材３０と下部連結部材１８との高さ方向の距離を調整可能である。
【００４４】
連結補助部材３０は、第２の実施形態と同様に、締結具３２によって吊り耳２０に締結されている。
【００４５】
下部ヘッダー１５の荷重は、下部導油配管１３を介して架台１１に支持されるとともに、その荷重の一部は、吊り耳２０および締結具３２を介して連結補助部材３０に支持される。連結補助部材３０の荷重は、調整締結部材４０を介して下部連結部材１８に伝えられ、さらに下部支持部材１７を経て、架台１１に伝えられる。
【００４６】
この第４の実施形態によれば、ラジエータ１００の据え付け現場で、複数の下部ヘッダー１５の下端部の高さが揃わない場合に、調整締結部材４０を調整することにより、連結補助部材３０と下部連結部材１８との間の高さ方向の距離を変更して、各下部ヘッダー１５の荷重を均等に下部支持部材１７に伝えることができる。
【００４７】
［第５の実施形態］
図８は、本発明に係るラジエータの第５の実施形態の要部拡大正面図である。この実施形態は第４の実施形態の変形であって、連結補助部材３０の上端３４が下部ヘッダー１５の底部に接している。その他の構成は第４の実施形態と同様である。連結補助部材３０の上端３４が下部ヘッダー１５の底部に接している点は、第３の実施形態と同様である。
【００４８】
この第５の実施形態によれば、第３の実施形態と同様に、下部ヘッダー１５の荷重の一部が、吊り耳２０および締結具３２を介して連結補助部材３０に伝わるとともに、荷重の一部が、連結補助部材３０の上端３４から直接連結補助部材３０に伝わる。これにより、より確実に下部ヘッダー１５の荷重を受けることができる。
【００４９】
その他の作用・効果は第４の実施形態と同様である。
【００５０】
［他の実施形態］
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１１…架台、  １２…上部導油配管、  １３…下部導油配管、  １４…上部ヘッダー、  １５…下部ヘッダー、  １６…放熱パネル、  １７…下部支持部材、  １８…下部連結部材（下部連結機構）、  ２０…吊り耳、  ２１、２２…締結具、  ２３…上端、  ３０…連結補助部材、  ３１…ライナー（調整機構）、  ３２、３３…締結具、  ３４…上端、  ４０…調整締結部材（調整機構）、  ５０…下部連結機構、  １００…ラジエータ
【図１】
2018006442.tif 000003
【図２】
2018006442.tif 000004
【図３】
2018006442.tif 000005
【図４】
2018006442.tif 000006
【図５】
2018006442.tif 000007
【図６】
2018006442.tif 000008
【図７】
2018006442.tif 000009
【図８】
2018006442.tif 000010